(57)【要約】【課題】介護者が被介護者をベッド上の浴槽内に、入浴させる際の湯水の給湯排水する作業における、肉体的、時間的な負担を軽減することができる介護用半身入浴システムを提供する。【解決手段】浴槽シート１ａと浴槽板１ｂとを少なくとも備えた介護用半身入浴装置１、および、移動可能な台車２ａの上に載置された排水タンク２ｂと、給湯タンク２ｃと、給湯配管径路２ｄの途中に設置される給湯ポンプ２ｅと、排水配管径路２ｆの途中に設置される排水ポンプ２ｇとを少なくとも備えた給湯排水装置２を有し、給湯配管径路２ｄの給水側配管２ｈおよび排水配管径路２ｆの吸水側配管２ｉが、浴槽板１ｂの側板１ｃに設けられた配管支持部２ｊに着脱自在に固定可能である介護用半身入浴システム。【選択図】図６
0003225171.tif 000002
【実用新案登録請求の範囲】
【請求項１】
ベッド上に展開して設置される浴槽シート（１ａ）と、ベッド上方から平面視した側板形状がＵ字型の三面からなり、被介護者の頭部側の一面が開口しており、前記浴槽シート（１ａ）を収容して浴槽を形成するための浴槽板（１ｂ）と、を少なくとも備えた介護用半身入浴装置（１）および、移動可能な台車（２ａ）の上に載置される排水タンク（２ｂ）と、前記排水タンク（２ｂ）の上側に載置される給湯タンク（２ｃ）と、前記入浴装置（１）および前記給湯タンク（２ｃ）を繋ぐ給湯配管径路（２ｄ）の途中に設置される給湯ポンプ（２ｅ）と、前記入浴装置（１）および前記排水タンク（２ｂ）を繋ぐ排水配管径路（２ｆ）の途中に設置される排水ポンプ（２ｇ）と、を少なくとも備えた給湯排水装置（２）を有し、前記給湯配管径路（２ｄ）の給水側配管（２ｈ）および前記排水配管径路（２ｆ）の吸水側配管（２ｉ）が、前記浴槽板（１ｂ）に設けられた配管支持部（２ｊ）に着脱自在に固定可能であることを特徴とする介護用半身入浴システム。
【請求項２】
前記配管支持部（２ｊ）は、前記浴槽板（１ｂ）の側板（１ｃ）に設けられた開孔部（１ｄ）を介して設置されることを特徴とする請求項１に記載の介護用半身入浴システム。
【請求項３】
前記給湯ポンプ（２ｅ）および前記排水ポンプ（２ｇ）は電動式であることを特徴とする請求項１または２に記載の介護用半身入浴システム。
【考案の詳細な説明】
【技術分野】
【０００１】  本考案は、介護用半身入浴システムに関する。より詳しくは、介護用半身入浴装置と給湯排水装置とを備えた介護用半身入浴システムに関する。
【背景技術】
【０００２】  超高齢化、少子化社会の到来に伴い、介護現場等における介護用入浴装置に対する社会的ニーズが高まっている。近年、各種介護用の入浴装置が商品化されているが、それらは全身入浴タイプが多く、被介護者を入浴させる際に、介護者に大きな負担が伴っている。そこで、被介護者を短時間に入浴させて、主に下半身部を清浄できる介護用半身入浴装置が注目されている。【０００３】  例えば、本考案者の発明に係る特許文献１には、身体の下に浴槽シートを敷き、ベッド背もたれを背上げ状態にした後、側板形状がＵ字型の三面からなり一面が開口しているものであって、その開口部の両側板の開口部側先端には勾配が設けられている構成の浴槽板を、前記浴槽シートの下、身体の足裏から、両脇に至る周囲に前記開口部の両側板先端が、ベッド背もたれに密着するように押し当てて配置し、前記浴槽シートを前記浴槽板内面に接触させながら上部まで上げた後、外側に折り曲げ、前記浴槽板外面に接触させながら垂れ下げることにより浴槽機能となる、と共に前記浴槽板と前記ベッドの固定、及び前記開口部の両側板間の間隔幅の固定をベルトで行うことを特徴とする介護用半身入浴装置が開示されている。
【先行技術文献】
【特許文献】
【０００４】
【特許文献１】特許第４９８５８５６号公報
【考案の概要】
【考案が解決しようとする課題】
【０００５】  本考案は、前記特許文献１に開示される介護用半身入浴装置の実用性を更に高めることを課題とする。より詳しくは、介護者が被介護者を入浴させる際の、浴槽内への湯水の給湯排水する作業における、肉体的、また時間的な負担を軽減することができる介護用半身入浴システムを提供することを課題とする。
【課題を解決するための手段】
【０００６】  本考案者は、特許文献１に開示される介護用半身入浴装置の改良について鋭意検討を重ねた結果、前記介護用半身入浴装置と特定の構成を有する給湯排水装置とを組み合わせてシステム化することにより前記課題を解決できることを見いだし、本考案を完成するに至った。【０００７】  すなわち、本考案によれば、ベッド上に展開して設置される浴槽シート（１ａ）と、ベッド上方から平面視した側板形状がＵ字型の三面からなり、被介護者の頭部側の一面が開口しており、前記浴槽シート（１ａ）を収容して浴槽を形成するための浴槽板（１ｂ）と、を少なくとも備えた介護用半身入浴装置（１）、
および、移動可能な台車（２ａ）の上に載置される排水タンク（２ｂ）と、前記排水タンク（２ｂ）の上側に載置される給湯タンク（２ｃ）と、前記入浴装置（１）および前記給湯タンク（２ｃ）を繋ぐ給湯配管径路（２ｄ）の途中に設置される給湯ポンプ（２ｅ）と、前記入浴装置（１）および前記排水タンク（２ｂ）を繋ぐ排水配管径路（２ｆ）の途中に設置される排水ポンプ（２ｇ）と、を少なくとも備えた給湯排水装置（２）を有し、前記給湯配管径路（２ｄ）の給水側配管（２ｈ）および前記排水配管径路（２ｆ）の吸水側配管（２ｉ）が、前記浴槽板（１ｂ）の側板（１ｃ）に設けられた配管支持部（２ｊ）に着脱自在に固定可能であることを特徴とする介護用半身入浴システムが提供される。【０００８】  前記配管支持部（２ｊ）は、前記浴槽板（１ｂ）に設けられた開孔部（１ｄ）を介して設置されることが好ましい。また、前記給湯ポンプ（２ｅ）および前記排水ポンプ（２ｇ）は電動式または電池式で、スイッチＯＮで給湯排水できることが好ましい。
【考案の効果】
【０００９】  本考案の介護用半身入浴システムは、特許文献１に開示されるような介護用半身入浴装置の実用性を著しく向上させることができる。すなわち、浴槽内の給湯配管経路と排水配管経路は、配管支持部で固定されており、給湯ポンプと排水ポンプのスイッチＯＮで給湯排水できることから、病院、介護現場等において、介護者の肉体的な負担を軽減できるとともに、湯水の入替も同時にでき、入浴者の洗体、入浴状況の観察などもでき、入浴作業の時間短縮にもなり、被介護者の下半身の清浄性を維持することもできる。
【図面の簡単な説明】
【００１０】
【図１】ベッド上に浴槽シートを展開した状態を示す概略図である。
【図２】浴槽板の外観形状を示す概略斜視図である。
【図３】浴槽板に設けた開孔部を示す側面図である。
【図４】ベッド上に設置した介護用半身入浴装置の側面図である。
【図５】ベッド上に設置した介護用半身入浴装置の上面図である。
【図６】給湯排水装置の全体構成を示す概略図である。
【図７】介護用半身入浴システムの全体構成を示す概略図である。
【考案を実施するための形態】
【００１１】  本考案の介護用半身入浴システムを実施するための好ましい形態を図面に基づいて説明する。なお、本考案の介護用半身入浴システムは本実施形態に限定されるものではない。なお、以下の文脈において、符号の括弧は省略する。
【００１２】（介護用半身入浴装置）
図１〜図３に示すように、本考案の介護用半身入浴システム３は、ベッド上に展開して設置される浴槽シート１ａと、ベッド上方から平面視した側板形状がＵ字型の三面からなり、被介護者の頭部側の一面が開口しており、前記浴槽シート１ａを収容して浴槽を形成するための浴槽板１ｂと、を少なくとも備えた介護用半身入浴装置１を有している。なお、介護用半身入浴装置１の詳細な構造については、本考案者の別の発明に係る特許文献１に開示されている。
【００１３】  浴槽シート１ａは、病院や介護施設等において、身体が不自由なために浴室まで移動が困難な被介護者が入浴する際に、介護者がベッドの寝台部上に広げて使用する柔軟性シートである。浴槽シート１ａの材質、サイズや厚みなどは、ベッド上に横たわる被介護者の入浴および介護者の補助作業に支障をきたさなければ、特に限定されない。非介護者の入浴に使用した浴槽シート１ａは洗浄して乾燥後、折り畳んで介護用具置き場等に保管することができる。
【００１４】  浴槽板１ｂは、前記浴槽シート１ａを収容して浴槽を形成するため部材であり、ベッド上方から平面視した側板形状がＵ字型の三面からなり、被介護者の頭部側の一面が開口している。浴槽板１ｂの材質は特に限定されないが、プラスチック、木材、アルミ材などが好ましい。その軽量化の観点から、図３に示すように、浴槽板１ｂを構成する３面の側板１ｃの全周にわたって、任意の位置に複数の開孔部１ｄを設けることが好ましい。また、後述するように、前記開孔部１ｄは配管支持部２ｊを設置するために好ましく利用される。なお、図２および図４には開孔部１ｄを図示していない。
【００１５】  一般的に病院や介護施設等に設置されるベッドの上半身側寝台部は起き上がり部を有し、被介護者をリクライニング状態へ傾動できるタイプのものが多用されている。そこで図２〜図３に示すように、浴槽板１ｂの上半身側（ベッドの寝台部の起き上がり部側）の先端部１ｅは、船の舳先形状になっていることが好ましい。また、浴槽板１ｂの長手方向の中央部には長さ調整部１ｆが設けられている。これにより、被介護者の体格等に応じて浴槽板１ｂの長手方向の長さ、すなわち浴槽の全体的なサイズを調整することが可能になる。
【００１６】  また、布団式の寝台部で起き上がり部を有していないタイプは、布団の上半身下部に厚物を詰めて布団の上半身部を少し高くすることで、背もたれ部をリクライニング状態にすることもできる。
【００１７】上記したような浴槽シート１ａおよび浴槽板１ｂにより形成される浴槽の全体形状は不定形である。必要に応じて、介護者が浴槽シート１ａを手で引っ張ったりして、浴槽の形状を自由に変化させることもできる。浴槽の深さは、被介護者が半身入浴できる範囲であれば特に限定されない。浴槽の内部への給湯および浴槽からの排水については、以下に具体的に説明する。
【実施例】
【００１８】（給湯排水装置）
図６に示すように、本考案の介護用半身入浴システム３は、移動可能な台車２ａの上に載置される排水タンク２ｂと、前記排水タンク２ｂの上側に載置される給湯タンク２ｃと、前記入浴装置１および前記給湯タンク２ｃを繋ぐ給湯配管径路２ｄの途中に設置される給湯ポンプ２ｅと、前記入浴装置１および前記排水タンク２ｂを繋ぐ排水配管径路２ｆの途中に設置される排水ポンプ２ｇと、を少なくとも備えた給湯排水装置２を有している。【００１９】  台車２ａは、車輪等の移動手段を備え、手押し等により移動可能であれば、特に限定されない。市販される台車の中から選択して、本考案に適用することができる。台車２ａの荷台の上には、被介護者の入浴に使用した湯水を廃棄するための排水タンク２ｂが載置される。前記排水タンク２ｂの材質、サイズ、内容量などは特に限定されず、市販されるポリタンクなどの中から選択して使用することができる。【００２０】  前記排水タンク２ｂの上側（上方向）には、前述した介護用半身入浴装置１の浴槽に湯水を供給するための給湯タンク２ｃが載置される。その載置方法は特に限定されないが、通常、前記台車２ａの荷台上に設置された棚段やラック等を介して載置される。給湯タンク２ｃ材質、サイズ、内容量などは特に限定されず、市販されている保温タンクあるいはポリタンクなどの中から選択して使用することができる。【００２１】  前記入浴装置１および前記給湯タンク２ｃを繋ぐ給湯配管径路２ｄの途中には、給湯ポンプ２ｅが設置される。また、前記入浴装置１および前記排水タンク２ｂを繋ぐ排水配管径路２ｆの途中に設置される排水ポンプ２ｇが設置される。これらの配管径路に使用される配管の材質や直径は特に限定されず、市販品を購入して使用できる。また、２つのポンプの設置場所や仕様等も特に限定されないが、介護者の操作性の観点からは電動式ポンプまたは電池式ポンプ、が好ましく用いられる。【００２２】（介護用半身入浴システム）
前述したように、本考案の介護用半身入浴システム３は、介護用半身入浴装置１および給湯排水装置２を有する。そして、図６〜図７に示すように、前記給湯配管径路２ｄの給水側配管２ｈおよび前記排水配管径路２ｆの吸水側配管２ｉが、前記浴槽板１ｂに設けられた配管支持部２ｊに着脱自在に固定可能であることを必須の特徴とする。【００２３】  前記配管支持部２ｊの設置部位は特に限定されないが、介護者の操作性等の観点から、三面の側板１ｃの中でも被介護者の足元側に設置することが好ましい。前記配管支持部２ｊの材質や形状は特に限定されないが、通常、棒状の板材が用いられる。前記配管支持部２ｊの本数も特に限定されず、通常、１〜３本である。【００２４】  前記配管支持部２ｊに前記給湯配管径路２ｄの給水側配管２ｈおよび前記排水配管径路２ｆの吸水側配管２ｉを着脱自在に固定する配管固定具２ｋの種類、材質、使用個数は特に限定されない。例えば、面ファスナーなどの公知の固定具を入手して利用することができる。また、前記配管支持部２ｊには、更に別の枝状支持部を連接して、前記給湯配管径路２ｄの給水側配管２ｈを着脱自在に固定することもできる。【００２５】  被介護者が入浴する際の快適性の観点から、前記給水側配管２ｈの端部の給湯口にはシャワーノズルを連結することが好ましい。また前記排水配管径路２ｆの吸水側配管２ｉの端部の吸水口にはゴミ除去用にフィルターを設置することもできる。【００２６】  このように、給湯配管径路２ｄの給水側配管２ｈおよび前記排水配管径路２ｆの吸水側配管２ｉが、前記浴槽板（１ｂ）に設けられた配管支持部２ｊに着脱自在に固定可能になっているので、介護現場等において、本考案の介護用半身入浴システムを適用すると、介護者の肉体的な負担を軽減できるとともに、湯水の入替も同時にでき、入浴者の洗体、入浴状況の観察などもでき、入浴作業の時間短縮にもなり、被介護者の下半身の清浄性を維持することが可能になる。【００２７】事前準備として、移動式の台車２ａに載置されている給湯タンク２ｃに、給湯室あるいは流し台などに設置されている湯水蛇口より湯水を注水し溜る、湯水温度は入浴者の適温にもよるが、おおむね４０℃前後であるが、湯水温度の保持用として、４５℃前後の給湯タンク２ｃも用意し加水するか、市販の温水用保温器などで湯水温度を保持するのも良い。排水は移動式の台車２ａを風呂場などに移動させて排水しても良い。
【産業上の利用可能性】
【００２８】本考案の介護用半身入浴システムは、今後、超高齢化、少子化で介護者不足と、高齢者のベッドから浴室への移動困難者が急増するこが予想されることから、介護用半身入浴システムを適用すると、介護者の肉体的な負担を軽減できるとともに、給湯排水ポンプのスイッチＯＮで湯水の入替も同時にでき、入浴者の洗体、入浴状況の観察などもでき、入浴作業の時間短縮にもなり、入浴介護がスムーズに行えるので、負担が少なくなることより、入浴回数が増え、清潔に、笑顔になり、病室内、施設室内、家庭内、が明るくなり、接し易くなります。また外出・社会進出もし易くなります。市販品の改良、専用品との組合せして使用もできることから広く普及すると考えます。
【符号の説明】
【００２９】１        介護用半身入浴装置
１ａ      浴槽シート
１ｂ      浴槽板
１ｃ      浴槽版の側板
１ｄ      浴槽板の側板に設けられた開孔部
１ｅ      浴槽板の上半身側の先端部
１ｆ      浴槽板の長手方向の長さ調整部
２        給湯排水装置
２ａ      台車
２ｂ      排水タンク
２ｃ      給湯タンク
２ｄ      給湯配管径路
２ｅ      給湯ポンプ
２ｆ      排水配管径路
２ｇ      排水ポンプ
２ｈ      給湯配管径路の給水側（浴槽側）配管
２ｉ      排水配管径路の吸水側（浴槽側）配管
２ｊ      配管支持部
２ｋ      配管の着脱式固定具
３        介護用半身入浴システム
４        ベッド
５        被介護者
【図１】
0003225171.tif 000003
【図２】
0003225171.tif 000004
【図３】
0003225171.tif 000005
【図４】
0003225171.tif 000006
【図５】
0003225171.tif 000007
【図６】
0003225171.tif 000008
【図７】
0003225171.tif 000009